(57)【要約】【課題】低発塵ベルトにおける初期発塵を防いで排気設備を簡単なものとすると共に、走行停止時間を短縮する。【解決手段】歯付の低発塵ベルト１のピッチラインＬ１上に心線５（抗張体）が埋設されたベルト本体６と、このベルト本体６のランドラインＬ２上にベルト長手方向に所定のピッチで配設された複数のベルト歯部７とを設ける。この低発塵ベルト１は、歯付プーリの歯溝に当接する底面側のみが伝動に寄与し、側面７ａは伝動に寄与しない。ベルト歯部７における歯付プーリのフランジと接触する両側面７ａの間隔を先端に向かうにつれて徐々に小さくし、歯付プーリに巻き付いたときに、そのフランジに略均等な力で面接触するようにする。【選択図】図３
2010001959.tif 000002
【特許請求の範囲】
【請求項１】
ピッチライン上に抗張体が埋設されたベルト本体と、該ベルト本体のランドライン上にベルト長手方向に所定のピッチで配設された複数のベルト歯部とを備え、
歯付プーリの歯溝に当接する底面側のみが伝動に寄与し、側面は伝動に寄与しない歯付の低発塵ベルトであって、
上記ベルト歯部における上記歯付プーリのフランジと接触する両側面は、先端に向かうにつれて徐々に間隔が小さくなっており、上記歯付プーリに巻き付いたときに該歯付プーリのフランジに略均等な力で面接触するように構成されている
ことを特徴とする低発塵ベルト。
【請求項２】
請求項１に記載の低発塵ベルトにおいて、
上記両側面は、ベルト長手方向から見て直線状に斜めに成形されている
ことを特徴とする低発塵ベルト。
【請求項３】
請求項１又は２に記載の低発塵ベルトにおいて、
上記ベルト歯部は、はす歯よりなる
ことを特徴とする低発塵ベルト。
【請求項４】
ピッチライン上に抗張体が埋設されたベルト本体を備え、プーリの外周面に当接する底面側のみが伝動に寄与し、側面は伝動に寄与しない平らな低発塵ベルトであって、
上記ベルト本体のプーリのフランジと接触する両側面の間隔が先端に向かうにつれて徐々に小さくなるように、該両側面は、ベルト長手方向から見て直線状に斜めに成形され、上記プーリに巻き付いたときに該プーリのフランジに略均等な力で面接触するように構成されている
ことを特徴とする低発塵ベルト。
【発明の詳細な説明】
【技術分野】
【０００１】
本発明は、伝動用や搬送用の歯付ベルト又は平ベルトよりなる低発塵ベルトに関するものである。
【背景技術】
【０００２】
従来より、歯付ベルトと、複数の歯付プーリとからなるベルト式伝動装置は知られている（例えば、特許文献１参照）。この歯付ベルトは、ピッチライン上に抗張体が埋設されたベルト本体と、該ベルト本体のランドライン上にベルト長手方向に所定のピッチで配設された複数のベルト歯部とを備え、少なくとも１つの歯付プーリにおいて、両側面外周部には、プーリの半径方向に延びるフランジが設けられている。
【特許文献１】特開２００２−２５０４１５公報
【発明の開示】
【発明が解決しようとする課題】
【０００３】
ところで、伝動ベルトや搬送ベルトは、プーリ間の幾何学的な位置関係（例えば、回転軸の平行や回転面の位置ずれ）、ベルト心線の特性などにより、さらに、はす歯のベルト歯部を有する場合には、はす歯の歯によるスラスト力により、ベルトが幅方向のいずれかへ偏るので、上記特許文献１のベルト式伝動装置のように、複数ある歯付プーリのうち、少なくとも１つには、ベルト脱落防止の観点からフランジを設ける必要がある。
【０００４】
図８（ａ）に示す通常の側面が垂直な歯付伝動ベルト２０１は、図８（ｂ）に誇張して示すように、歯付プーリ２に掛けると底面側が拡がって末広の台形状に変形すると共に、上記種々の理由により偏ってフランジ部３と接触しながら走行する。図９に拡大して示すように、ベルト側面の歯先に近い領域Ａが歯付プーリ２のフランジ３に強く接触する。なお、他に接触の大きい領域Ｂは、ベルト歯部２０７の歯付プーリの歯溝に当接する部分である。つまり、伝動ベルト２０１が歯付プーリ２に巻き付く際に、内側へ折り曲げられて荷重がかかるので、心線２０５を基準に心線２０５よりも内側（領域Ｗ１）では長手方向に圧縮しようとする荷重がかかり、外側（領域Ｗ２）では長手方向に伸張しようとする荷重がかかる。また、このベルト２０１に用いられる材料は、ウレタン、ゴム、エラストマーなどのゴム状弾性体であり、これらのゴム状弾性体は非圧縮性を有することから、荷重が加わると圧縮もしくは伸張されようとすることによる体積変化を補う必要がある。ベルトがプーリと噛み合った状態では、側面方向にのみ自由度があるので、領域Ｗ１ではベルトの幅が拡がろうとし、領域Ｗ２ではベルトの幅が狭まろうとする。なお、非圧縮性とは、スポンジのように押された分だけ圧縮するのとは異なり、一部が押されると他の部分が拡がるなどにより全体の体積変化の乏しい性質をいう。最も幅が拡がりやすいのは、最も心線から離れた歯先であるため、歯先がプーリに巻き付いたときには、歯先を中心に幅が拡がる。このため、幅の広がった部分が狭い範囲でフランジに接触して応力集中が起こり、摩耗して摩耗粉が飛散したり、微小な粉塵が浮遊したりするという問題があった。
【０００５】
このため、半導体製造や食品加工など、粉塵の発生が好まれない清浄な環境が必要な場所でベルトを走行させるには、囲いを設置したり、ベルト周辺の浮遊粉塵の吸引や排出などの設備が必要であった。
【０００６】
また、粉塵の発生はベルトを設置した直後の初期の段階で特に顕著であるため、ベルトを空運転して粉塵がある程度収まってから走行させる必要があり、その分、作業効率が悪くなるという問題があった。
【０００７】
本発明は、かかる点に鑑みてなされたものであり、その目的とするところは、初期発塵を防いで排気設備を簡単なものとすると共に、走行停止時間を短縮することにある。
【課題を解決するための手段】
【０００８】
上記の目的を達成するために、この発明では、ベルト歯部の先端に向かうにつれてベルト幅が徐々に小さくなるように、ベルト側面にテーパを設けた。
【０００９】
具体的には、第１の発明では、ピッチライン上に抗張体が埋設されたベルト本体と、該ベルト本体のランドライン上にベルト長手方向に所定のピッチで配設された複数のベルト歯部とを備え、歯付プーリの歯溝に当接する底面側のみが伝動に寄与し、側面は伝動に寄与しない歯付の低発塵ベルトを対象とする。
【００１０】
そして、上記ベルト歯部における上記歯付プーリのフランジと接触する両側面は、先端に向かうにつれて徐々に間隔が小さくなっており、上記歯付プーリに巻き付いたときに該歯付プーリのフランジに略均等な力で面接触するように構成されている。
【００１１】
すなわち、ベルトが歯付プーリに巻き付く際に抗張体を基準に抗張体よりも内側は長手方向に圧縮されようとし、外側は長手方向に伸張されようとするが、ベルトに用いられる材料は、ウレタン、ゴム、エラストマーなどのゴム状弾性体であり、非圧縮性を有する材料であるため、抗張体よりも内側では長手方向に圧縮されようとする体積を逃がす必要がある。このため、ベルトが歯付プーリと噛み合った状態では、側面方向にのみ自由度があるので、抗張体よりも内側ではベルトの幅が拡がろうとする。最も幅が拡がりやすいのは、最も抗張体から離れた歯先であるため、歯付プーリに巻き付いたときに歯先を中心に幅が拡がる。しかしながら、上記の構成によると、ベルト歯部の幅が先端に向かうにつれて徐々に小さくなっているので、歯先側の幅が拡がっても、歯先部分のみが歯付プーリのフランジに接触するのではなく、広い面で略均等な力で接触する。このため、応力の集中が抑えられ、摩耗を原因とする粉塵の発生が最小限となる。なお、歯付の低発塵ベルトは、歯付プーリの歯溝に当接する底面側のみが伝動に寄与するものであり、側面も伝動に寄与するＶベルトではない。また、「略均等な力で接触する」とは、「応力集中がないように接触する」という意味である。
【００１２】
第２の発明では、第１の発明において、
上記両側面は、ベルト長手方向から見て直線状に斜めに成形されている。
【００１３】
上記の構成によると、一定の角度の傾斜が生じるようにベルト長手方向に沿って順に成形すればよいので、長尺のベルトであっても成形が容易である。
【００１４】
第３の発明では、第１又は第２の発明において、
上記ベルト歯部は、はす歯よりなるものとする。
【００１５】
すなわち、はす歯の場合、運転時の清音化が可能ではあるが、構造上、ベルト幅方向のいずれかへベルトが寄って行くので、歯付プーリのフランジにベルト歯部側面をこすりながら運転される。このため、フランジとの摩擦はより強くなる方向にあるが、上記の構成によると、ベルト歯部の幅が先端に向かうにつれて徐々に小さくなっているので、底面近傍のみがフランジに接触するのではなく、広い面で略均等な力で接触し、摩耗は生じにくくなる。
【００１６】
第４の発明では、ピッチライン上に抗張体が埋設されたベルト本体を備え、プーリの外周面に当接する底面側のみが伝動に寄与し、側面は伝動に寄与しない平らな低発塵ベルトを対象とする。
【００１７】
そして、上記低発塵ベルトは、
上記ベルト本体のプーリのフランジと接触する両側面の間隔が先端に向かうにつれて徐々に小さくなるように、該両側面は、ベルト長手方向から見て直線状に斜めに成形され、上記プーリに巻き付いたときに該プーリのフランジに略均等な力で面接触するように構成されている。
【００１８】
すなわち、ベルトがプーリに巻き付く際に抗張体を基準に抗張体よりも内側は長手方向に圧縮されようとし、外側は長手方向に伸張されようとするが、ベルトに用いられる材料は、ウレタン、ゴム、エラストマーなどのゴム状弾性体であり、非圧縮性を有する材料であるため、抗張体よりも内側では長手方向に圧縮されようとする体積を逃がす必要がある。このため、ベルトがプーリに巻き付いた状態では、側面方向にのみ自由度があるので、抗張体よりも内側ではベルトの幅が拡がろうとする。最も幅が拡がりやすいのは、最も抗張体から離れたベルト本体底面側であるため、ベルトがプーリに巻き付いたときにベルト本体底面部を中心に幅が拡がる。しかしながら、上記の構成によると、ベルト本体の幅がプーリの外周面に向かうにつれて徐々に小さくなっているので、ベルト本体の底面側の幅が拡がっても、底面近傍のみがプーリのフランジに接触するのではなく、広い面で略均等な力で接触する。このため、応力の集中が抑えられ、摩耗を原因とする粉塵の発生が最小限となる。また、側面を成形するときには、直線状に斜めに成形すればよいので、長尺のベルトであっても成形が容易である。なお、この平らな低発塵ベルトは、プーリの外周面に当接する底面側のみが伝動に寄与するものであり、側面も伝動に寄与するＶベルトではない。
【発明の効果】
【００１９】
以上説明したように、上記第１の発明によれば、最も幅が拡がりやすい最も抗張体から離れた歯の先端に向かうにつれて歯部の幅を徐々に小さくしてベルトがプーリに掛けられたときに歯先部分のみが歯付プーリのフランジに接触するのを防止してフランジに略均等な力で面接触するようにしたことにより、特にベルト使用初期における摩耗を原因とする粉塵の発生を防止することができるので、定常発塵に対する排気設備を備えていればよくなり、排気設備を簡単なものとすることができる。また、初期発塵を収めるために長時間空運転を行う必要がなく、走行停止時間を短縮することができるので、生産性を向上させることができる。
【００２０】
上記第２の発明によれば、ベルト歯部側面をベルト長手方向から見て直線状に斜めに成形するようにしたことにより、長尺のベルトであっても成形が容易であるため、製造コストの増加を最小限とすることができる。
【００２１】
上記第３の発明によれば、ベルト歯部をはす歯としたことにより、運転時の清音化を図ることができると共に、歯付プーリのフランジにベルト歯部の側面が広い面積で当接するので、はす歯であっても粉塵の発生を最小限に保つことができる。
【００２２】
上記第４の発明によれば、最も幅が拡がりやすい最も抗張体から離れたベルト本体底面部に向かうにつれて底面側のベルト幅を徐々に小さくして底面近傍のみがプーリのフランジに接触するのを防止してフランジに略均等な力で面接触するようにしたことにより、特にベルト使用初期における摩耗を原因とする粉塵の発生を防止することができるので、定常発塵に対する排気設備を備えていればよくなり、排気設備を簡単なものとすることができる。また、初期発塵を収めるために長時間空運転を行う必要がなく、走行停止時間を短縮することができるので、生産性を向上させることができる。また、ベルト本体側面をベルト長手方向から見て直線状に斜めに成形するようにしたことにより、長尺のベルトであっても成形が容易であるため、製造コストの増加を最小限とすることができる。
【発明を実施するための最良の形態】
【００２３】
以下、本発明の実施形態を図面に基づいて説明する。
【００２４】
図１は本発明の実施形態１の歯付の低発塵ベルト１が歯付プーリ２に掛けられたベルト伝動装置を示す側面図である。なお、見やすくするために歯付プーリ２のフランジ３は二点鎖線で示している。便宜上、歯付プーリ２は同じ外径のものを使用しているが、異なる外径のものでもよく、３つ以上の歯付プーリ２に低発塵ベルト１を掛けるようにしてもよい。
【００２５】
図２及び図３に示す歯付の低発塵ベルト１は、ピッチラインＬ１上に抗張体としての心線５が埋設されたベルト本体６を有している。ベルト本体６は、ゴム状弾性体であるウレタン樹脂よりなるが、通常ベルトに使用されるゴム状弾性体であれば特に限定されず、ゴム、エラストマー等であってもよい。また、例えば、心線５はスチールワイヤーよりなる。
【００２６】
ベルト本体６のランドラインＬ２上には、ベルト長手方向に所定のピッチＰで複数のベルト歯部７が配設されている。ベルト歯部７は、例えば平歯よりなり、このベルト歯部７に噛み合うように、歯付プーリ２の外周面に歯溝４が形成されている。
【００２７】
この歯付の低発塵ベルト１は、歯付プーリ２の歯溝４に当接する底面側のみが伝動に寄与し、側面７ａは伝動に寄与しないように構成されている。すなわち、底面及び側面が伝動に寄与するＶベルトではない。そして、この低発塵ベルト１は、汎用のベルトであるが、特に粉塵の発生を嫌う、クリーンルーム、食品包装工場などの雰囲気内での使用に適しており、例えば伝動ベルトとして、あるいは搬送ベルトとして構成することができる。
【００２８】
そして、上記ベルト歯部７における歯付プーリ２のフランジ３と接触する両側面７ａの間隔は、先端に向かうにつれて徐々に小さくなっている。具体的には、ベルト歯部７の側面７ａは、ベルト長手方向から見て直線状に斜めに成形され、その傾斜角度α（図３に示す）は、材質、厚さ、幅等にもよるが、本実施形態では、概ね１°≦α≦２０°であり、３°≦α≦１０°が好ましい。このように成形面の角度は、比較的浅いものであり、一般的な面取りのような４５°というものではない。傾斜を設ける範囲は、上限がランドラインＬ２であり、それ以下の低い領域、すなわち歯部７の領域で適宜設計可能である。
【００２９】
この低発塵ベルト１を歯付プーリ２に掛けると、図４に示すように、ベルト歯部７の歯先部分が圧縮により変形して側面７ａがほぼ垂直となり、低発塵ベルト１が偏ったときに、略均等な力でフランジ３に面接触するように構成されている。
【００３０】
−低発塵ベルトの製造方法−
詳しくは図示しないが、低発塵ベルト１は、歯形が形成された連続成形用の金型上に心線５を平行にならべ、ウレタン樹脂を注入して連続成形し、その後、必要に応じてカットするなどして、所望の幅に成形する。成形時に心線５が露出しないようにすることにより、発塵が発生し難くなる。
【００３１】
次いで、帯状に成形されたベルトを長手方向に繋いで必要な長さとする。
【００３２】
側面７ａに傾斜を設ける成形は、例えば低発塵ベルト１を長手方向に進めながら砥石にて研削することにより行う。このとき、傾斜角度αは、低発塵ベルト１の長手方向でほぼ一定となっているため、例えば１０ｍなどの長尺の低発塵ベルト１であっても成形が容易となっている。
【００３３】
なお、傾斜の成形方法は、砥石に限定されず、カッターによって切断したり、型で成形する際にベルト幅１本ごとに傾斜形状を成形したりしてもよい。
【００３４】
−低発塵ベルトの作用−
次いで、低発塵ベルト１の作用について説明する。
【００３５】
低発塵ベルト１が歯付プーリ２に巻き付く際に心線５を基準に心線５よりも内側（領域Ｗ１）は長手方向に圧縮されようとし、外側（領域Ｗ２）は長手方向に伸張されようとするが、低発塵ベルト１に用いられる材料は通常非圧縮性を有するゴム状弾性体であるため、心線５よりも内側では圧縮されようとする体積を逃がす必要がある。このため、低発塵ベルト１が歯付プーリ２と噛み合った状態では、側面７ａ方向にのみ自由度があるので、低発塵ベルト１の幅が拡がろうとする。最も幅が拡がりやすいのは、最も心線５から離れた歯先であるため、歯先が歯付プーリ２に巻き付いたときに歯先を中心に幅が拡がる。
【００３６】
しかしながら、本実施形態では、ベルト歯部７の幅が先端に向かうにつれて徐々に小さくなっているので、歯先側の幅が拡がっても、図４に示すように、ベルト歯部７の歯先部分が圧縮荷重により変形して側面７ａがほぼ垂直となり、歯先部分のみが歯付プーリ２のフランジ３に接触するのではなく、広い面で略均等な力で接触する。このため、応力の集中が抑えられ、摩耗を原因とする粉塵の発生が最小限となる。
【００３７】
−実施形態１の効果−
したがって、本実施形態にかかる低発塵ベルト１によると、最も幅が拡がりやすい最も心線５から離れた歯の先端に向かうにつれて歯部の幅を徐々に小さくして低発塵ベルト１が歯付プーリ２に掛けられたときに歯先部分のみが歯付プーリ２のフランジ３に接触するのを防止してフランジ３に略均等な力で面接触するようにしたことにより、特に低発塵ベルト１の使用初期における摩耗を原因とする粉塵の発生を防止することができるので、定常発塵に対する排気設備を備えていればよくなり、排気設備を簡単なものとすることができる。また、初期発塵を収めるために長時間空運転を行う必要がなく、走行停止時間を短縮することができるので、生産性を向上させることができる。
【００３８】
上記実施形態によれば、ベルト歯部７の側面７ａをベルト長手方向から見て直線状に斜めに成形するようにしたことにより、長尺の低発塵ベルト１であっても成形が容易であるため、製造コストの増加を最小限とすることができる。
【００３９】
上記実施形態によれば、底面側側面７ａを３°以上１０°以下傾斜させて成形したことにより、幅が拡がった底面側側面７ａを歯付プーリ２のフランジ３に満遍なく当接させて粉塵の発生を効果的に防止することができる。
【００４０】
−発塵評価テスト−
次に、本実施形態にかかる低発塵ベルト１を図５に示す発塵評価機１０に掛けて評価した結果を説明する。なお、この評価は、ＪＩＳＢ９９２６のクリーンルームに使用する機器の運動機構からの発塵量測定方法に従っている。
【００４１】
発塵評価機１０は、試験体設置部１１を備え、この試験体設置部１１内に一対の歯付プーリ２が白抜き矢印の方向に駆動可能に設けられている。これら歯付プーリ２に低発塵ベルト１が掛けられる。
【００４２】
試験体設置部１１の上流側には、送風部１２が設けられ、外気を取り入れ可能に構成されている。この送風部１２の下流側にエアフィルタ部１３が設けられ、試験体設置部１１内に清浄空気が吸い込まれるようになっている。
【００４３】
試験体設置部１１内を通った空気は、測定部１４を通って放出される。この測定部１４内に設けた発塵センサ（図示せず）により、発塵量が測定されるようになっている。
【００４４】
例えば、本テストに使用した低発塵ベルト１のベルト歯部７を含む全体の厚みは４mm、幅は２０mm、周長は１ｍであり、心線５の本数は１１本である。歯付プーリ２の直径は１２０mm、歯数数は４８歯、幅は３０mmとする。張力は４００Ｎ、回転数２００ｒｐｍ、一方向回転で６００分走行させる。
【００４５】
実施例：傾斜角度α＝５°（歯先からの成形高さｈ＝１mm）、比較例１：傾斜角度α＝０°、比較例２：傾斜角度α＝３０°（歯先からの成形高さｈ＝１mm）として側面７ａの傾斜角度を変化させた場合の発塵量を測定した結果を図６に示す。
【００４６】
図６に示すように、傾斜を設けない比較例１の発塵量と、傾斜角度の大きい比較例２とは、発塵量がほぼ等しくなっている。つまり、傾斜角度が大きすぎても効果はないことがわかる。
【００４７】
傾斜角度５°の実施例では、特に初期段階の３６０分経過までの期間で比較例１及び２に比べて発塵量が少なくなっている。
【００４８】
つまり、傾斜角度は、材質、厚さ、幅等にもよるが、大きすぎても小さすぎてもよくなく、本実施例では５°前後が最適であることがわかる。
【００４９】
−実施形態１の変形例−
ベルト歯部７は、はす歯よりなるものとしてもよい。このはす歯に噛み合うように、歯付プーリ２の外周面に歯溝４を形成する。
【００５０】
はす歯の場合、運転時の清音化が可能ではあるが、構造上、低発塵ベルト１の幅方向のいずれかへ低発塵ベルト１が寄って行くので、歯付プーリ２のフランジ３にベルト歯部７の側面７ａをこすりながら運転される。このため、フランジ３との摩擦はより強くなる方向にあるが、本実施形態によると、ベルト歯部７の幅が先端に向かうにつれて徐々に小さくなっているので、先端側のみがフランジ３に接触することはなく、摩耗は生じにくくなる。
【００５１】
この変形例によれば、ベルト歯部７をはす歯としたことにより、運転時の清音化を図ることができると共に、歯付プーリ２のフランジ３にベルト歯部７の側面７ａが広い面積で当接するので、はす歯であっても粉塵の発生を最小限に保つことができる。
【００５２】
（実施形態２）
図７は本発明の実施形態２にかかる平らな低発塵ベルト１０１を示し、ベルト歯部を有さない点で上記実施形態１と異なる。なお、本実施形態では、図１〜図６と同じ部分については同じ符号を付してその詳細な説明は省略する。
【００５３】
平らな低発塵ベルト１０１は、ピッチラインＬ１上に抗張体としての心線１０５が埋設されたベルト本体１０６を備え、プーリの外周面に当接する底面側のみが伝動に寄与し、側面は伝動に寄与しない。図示しないが、本実施形態のプーリは、上記実施形態１のような歯溝４は形成されていない。
【００５４】
そして、上記低発塵ベルト１におけるベルト本体６のプーリのフランジと接触する両側面１０６ａの間隔は、底面に向かうにつれて徐々に小さくなっている。すなわち、両側面１０６ａは、長手方向から見て直線状に斜めに成形され、その傾斜角度αは、材質、厚さ、幅等にもよるが、本実施形態では、概ね１°≦α≦２０°であり、３°≦α≦１０°が好ましい。傾斜を設ける範囲は、上限がピッチラインＬ１であり、それ以下の低い領域、すなわち底面側の領域で適宜設計可能である。
【００５５】
上記実施形態１と同様にプーリに掛けると、側面１０６ａの底面側が圧縮により変形してほぼ垂直となり、略均等な力でフランジに面接触するように構成されている。
【００５６】
すなわち、低発塵ベルト１０１がプーリに巻き付く際に心線１０５を基準に心線１０５よりも内側（底面側）は長手方向に圧縮されようとし、外側は長手方向に伸張されようとするが、低発塵ベルト１０１に用いられる材料はウレタン、ゴム、エラストマーなどのゴム状弾性体であり、非圧縮性を有する材料であるため、心線１０５よりも内側では長手方向に圧縮されようとする体積を逃がす必要がある。このため、低発塵ベルト１０１がプーリに巻き付いた状態では、側面方向にのみ自由度があるので、心線１０５よりも内側ではベルト幅が拡がろうとする。最も幅が拡がりやすいのは、最も心線１０５から離れたベルト本体６底面部であるため、低発塵ベルト１０１がプーリに巻き付いたときに底面近傍は必ず幅が拡がる。
【００５７】
しかしながら、本実施形態では、ベルト本体６の幅がプーリの外周面に向かうにつれて徐々に小さくなっているので、ベルト本体６の底面側の幅が拡がっても、側面１０６ａがほぼ垂直となり、底面近傍のみがプーリのフランジに接触するのが防止される。このため、側面１０６ａが略均等な力でフランジに面接触して摩耗を原因とする粉塵の発生が最小限となる。また、側面１０６ａを成形するときには、直線状に斜めに成形すればよいので、長尺の低発塵ベルト１０１であっても成形が容易である。
【００５８】
したがって、本実施形態にかかる低発塵ベルト１０１においても、最も幅が拡がりやすい最も心線１０５から離れたベルト本体１０６の底面部分に向かうにつれてベルト本体１０６の幅を徐々に小さくして底面近傍のみがプーリのフランジに接触するのを防止してフランジに略均等な力で面接触するようにしたことにより、特に低発塵ベルト１０１の使用初期における摩耗を原因とする粉塵の発生を防止することができるので、定常発塵に対する排気設備を備えていればよくなり、排気設備を簡単なものとすることができる。また、初期発塵を収めるために長時間空運転を行う必要がなく、走行停止時間を短縮することができるので、生産性を向上させることができる。また、ベルト本体１０６側面をベルト長手方向から見て直線状に斜めに成形するようにしたことにより、長尺の低発塵ベルト１０１であっても成形が容易であるため、製造コストの増加を最小限とすることができる。
【００５９】
（その他の実施形態）
本発明は、上記実施形態について、以下のような構成としてもよい。
【００６０】
すなわち、上記実施形態では、ベルト本体６，１０６の背面側は平坦としたが、ブロックやひれ状のプロファイルを成形してもよい。このことで、コイン、食品、ガラス等の搬送を適切に行うことができる。
【００６１】
なお、以上の実施形態は、本質的に好ましい例示であって、本発明、その適用物や用途の範囲を制限することを意図するものではない。
【図面の簡単な説明】
【００６２】
【図１】本発明の実施形態１にかかる低発塵ベルトが歯付プーリに掛けられたベルト伝動装置の概略を示す側面図である。
【図２】歯付の低発塵ベルトを示す斜視図である。
【図３】歯付の低発塵ベルトの断面図である。
【図４】歯付の低発塵ベルトを歯付プーリに掛けた場合の断面図である。
【図５】発塵評価機を示す側面図である。
【図６】発塵評価テストの結果を示すグラフである。
【図７】本発明の実施形態２にかかる平らな低発塵ベルトを示す斜視図である。
【図８】従来の歯付伝動ベルトの変形を説明するための断面図であり、（ａ）が歯付プーリに掛ける前を示し、（ｂ）が歯付プーリに掛けたときを示す。
【図９】従来の歯付伝動ベルトの摩耗の様子を調べた結果を示す斜視図である。
【符号の説明】
【００６３】
１      歯付の低発塵ベルト
２      歯付プーリ
３      フランジ
４      歯溝
５      心線（抗張体）
６      ベルト本体
７      ベルト歯部
１０      発塵評価機
１０１      平らな低発塵ベルト
１０５      心線（抗張体）
１０６      ベルト本体
Ｌ１      ピッチライン
Ｐ      ピッチ
【図１】
2010001959.tif 000003
【図２】
2010001959.tif 000004
【図３】
2010001959.tif 000005
【図４】
2010001959.tif 000006
【図５】
2010001959.tif 000007
【図６】
2010001959.tif 000008
【図７】
2010001959.tif 000009
【図８】
2010001959.tif 000010
【図９】
2010001959.tif 000011